(57)【要約】【課題】桁下への雨水の落下を防止するだけでなく、伸縮装置上を車両が通過する際に発生する桁下への衝撃音の伝播が軽減され、桁下に及ぼす伝播音（騒音）のレベルを低減化することができる道路橋梁の伸縮装置を提供すること。【解決手段】道路の継ぎ目部の桁遊間に伸縮ゴム部が設けられてなる道路橋梁伸縮装置において、該伸縮ゴム部直下の桁遊間に、止水ゴム膜と該止水ゴム膜の下面に接合して設けられた吸音材からなる排水樋を付設したことを特徴とする道路橋梁伸縮装置。【選択図】図１
2006193943.tif 000002
【特許請求の範囲】
【請求項１】
道路の継ぎ目部の道路橋梁桁遊間に伸縮ゴム部が設けられてなる道路橋梁伸縮装置において、該伸縮ゴム部直下の桁遊間に、止水ゴム膜と該止水ゴム膜の下面に接合して設けられた吸音材からなる排水樋を付設したことを特徴とする道路橋梁伸縮装置。
【請求項２】
吸音材が、気泡を内部に有した発泡材からなることを特徴とする請求項１記載の道路橋梁伸縮装置。
【請求項３】
気泡が、連続気泡であることを特徴とする請求項１または２記載の道路橋梁伸縮装置。
【請求項４】
吸音材が、発泡ゴムからなることを特徴とする請求項１、２または３記載の道路橋梁伸縮装置。
【発明の詳細な説明】
【技術分野】
【０００１】
本発明は、排水樋を有している道路橋梁伸縮装置に関する。
【背景技術】
【０００２】
従来、地上に設置される道路橋等では、一定距離間隔で道路（道路橋の橋桁）の伸縮を吸収するための隙間部を形成し、この隙間部の継ぎ目間には、ゴム状弾性体からなる伸縮体を備えた道路橋梁用伸縮装置を設置して、道路の伸縮の吸収、通過車両による衝撃の吸収等を図っている（特許文献１−３）。
【０００３】
一方、過去には山あいなどに作られることの多かった道路橋や高架道路などが、近年では、住宅地やその近隣に作られるケースも多く生じてきている。
【０００４】
そのようなケースでは、道路橋梁用伸縮装置は車両通過に伴う通過音の発生の源となっており、該通過音が該伸縮装置の振動を介して橋桁下に伝播し、該橋の下の近隣地区への騒音となり、少しでもこの騒音を低減化することが望まれるようになってきた。
【０００５】
また、このような道路橋梁用伸縮装置が設置されている箇所もしくはその近傍においての雨水などの排水に関しても、具体的な問題として注目を浴びてきており、従来の伸縮装置付近では雨水などの排水の桁下への落下が問題となることも多くあった。
【０００６】
すなわち、住宅地やその近隣に作られるケースが多くなると、該道路橋梁からの雨水の排水などの問題、生活環境への影響なども大きくなる。
【０００７】
一方、止水体として、ゴム板材を湾曲させてなる受け部材と、この受け部材の内部に充填されたウレタンフォームと、このウレタンフォーム上に充填されたシール材とから形成させ、そして、前記の受け部材を橋桁の対向する面にボルト止めするようにした例が提案されている（特許文献４）。
【０００８】
しかし、この特許文献４に提案されている道路橋梁伸縮装置では、排水を積極的に流すという思想は存在していなかったものである。
【０００９】
また、止水機能として、断面が略Ｕ字状の伸縮部を有し、かつ少なくとも一層以上の補強層が埋設されたというゴム状弾性シート材料を桁遊間部に設けたという提案がされている（特許文献５）。
【００１０】
しかし、この特許文献５に提案されている道路橋梁伸縮装置では、桁下に及ぼす騒音について改善するという思想は存在していなかったものである。
【特許文献１】特開２０００−２７３８１２号公報
【特許文献２】特開２０００−９６５０５号公報
【特許文献３】特開平８−２３２２０６号公報
【特許文献４】特開平８−２５３９０６号公報
【特許文献５】特開２００３−６４６１２号公報（図１）
【発明の開示】
【発明が解決しようとする課題】
【００１１】
本発明の目的は、上述したような点に鑑み、桁下への雨水の落下を防止するだけでなく、伸縮装置上を車両が通過する際に発生する桁下への衝撃音の伝播が軽減され、桁下に及ぼす伝播音（騒音）のレベルを低減化することができる道路橋梁の伸縮装置を提供せんとするものである。
【課題を解決するための手段】
【００１２】
上述した目的を達成する本発明の道路橋梁伸縮装置は、以下の(1) の構成からなるものである。
（１）道路の継ぎ目部の桁遊間に伸縮ゴム部が設けられてなる道路橋梁伸縮装置において、該伸縮ゴム部直下の桁遊間に、止水ゴム膜と該止水ゴム膜の下面に接合して設けられた吸音材からなる排水樋を付設したことを特徴とする道路橋梁伸縮装置。
【００１３】
また、かかる本発明の道路橋梁伸縮装置は、好ましくは、以下の(2) から(4) の具体的構成を有するものである。
（２）吸音材が、気泡を内部に有した発泡材からなることを特徴とする上記(1) 記載の道路橋梁伸縮装置。
（３）気泡が、連続気泡であることを特徴とする上記(1) または(2) 記載の道路橋梁伸縮装置。
（４）吸音材が、発泡ゴムからなることを特徴とする上記(1) 、(2) または(3) 記載の道路橋梁伸縮装置。
【発明の効果】
【００１４】
本発明によれば、桁下への雨水の落下を防止するだけでなく、伸縮装置上を車両が通過する際に発生する桁下への衝撃音の伝播が軽減され、桁下に及ぼす伝播音（騒音）のレベルを低減化することができ、また、止水ゴム膜が吸音材によってバックアップ保持されていることにより該止水ゴム膜の補強効果を発揮できる道路橋梁伸縮装置を提供することができるものである。
【発明を実施するための最良の形態】
【００１５】
以下、更に詳しく本発明の道路橋梁伸縮装置について説明する。
【００１６】
本発明の道路橋梁伸縮装置は、道路の継ぎ目部の道路橋梁桁遊間に伸縮ゴム部が設けられてなる道路橋梁伸縮装置において、該伸縮ゴム部直下の桁遊間に、止水ゴム膜と該止水ゴム膜の下面に接合して設けられた吸音材とからなる排水樋を付設したものである。
【００１７】
図１は、本発明の道路橋梁伸縮装置の一実施態様例を示した概略断面モデル図であり、道路橋梁桁１の遊間に伸縮ゴム部３が設けられ、さらに、伸縮ゴム部３の直下の桁遊間２に止水ゴム膜５と該止水ゴム膜５の下面に接合して設けられた吸音材６とからなる排水樋７が設けられているものである。４は橋台であり、８は伸縮装置をアンカーボルトで橋台に固定するためのモルタルを施工する時にモルタルが流れ出さないようにする堰である。
【００１８】
吸音材６は、吸音効果を有する樹脂の成形体から形成されるのが好ましく、例えば、気泡を内部に有した発泡材、中でも、気泡が連続気泡である発泡材、具体的には気泡が連続気泡である発泡ゴム材から形成されるもの等が好ましいものである。但し、気泡は連続であれ独立気泡であれ、発泡倍率なども重要な要素であり、発泡ゴム材の場合、発泡倍率が、好ましくは１．５〜１５倍、より好ましくは、２〜１０倍程度のものであることが高い吸音効果が得られる等の点から好ましい。
【００１９】
該吸音材６は、伸縮ゴム部３の直下の桁遊間２の実質的に全幅に対して設けられているのが、吸音による騒音防止効果や排水樋を形成する止水ゴム膜５の形態支持効果が高くなることから最も好ましい。止水ゴム膜５の形態は、図１には一つの凹部形態が形成されているものを示しているが、２つまたは３つと複数の凹部形態が形成されているものであってもよい。
【００２０】
特に、伸縮ゴム部３の直下の桁遊間２において空間部が存在すると、その空間部で共鳴して騒音が伝播されてくることがあるので、そのような共鳴空間が存在することのないように、桁遊間２の実質的に全幅に対して設けられていることと、ある程度の高さ（深さ）を有して形成されているのが好ましいのである。
【００２１】
止水ゴム膜５は、橋桁の振動、地震等に応じて伸縮をして緩衝効果を有するものでもよく、むしろ、その方が全体の伸縮装置としての性能特性を向上させ得るので好ましいものである。
【００２２】
止水ゴム膜５は、図１に示したように、ゴム板材を湾曲させてその端部を、伸縮装置最外側ビーム（側板）９にボルト等を介して取り付けることができる。
【００２３】
吸音材６は、止水ゴム膜５の形態が振動などに対応して変化するものであれば、その変化に追従して伸縮・形態変化ができるものであるのが好ましく、吸音材の構成材料は、ゴム材料（クロロプレンゴム、エチレンプロピレンゴム、ウレタンゴムなど）からなるスポンジゴムを好適に使用でき、さらに、軟質ポリウレタン、軟質ポリエチレン等の弾性発泡体も好適に使用できる。
【００２４】
止水ゴム膜５と該止水ゴム膜５の下面に吸音材６を接合する手段は、特に限定されるものではないが、例えば、凹部形態を有する吸音材を成形して得た後に、凹部形態に成形されている止水ゴム膜５に接着剤などにより全面もしくは一部箇所を接合することにより行うことができる。
【００２５】
吸音材６の使用量は吸音効果の大小に関わることから、好ましくは、排水樋長さ１ｍ当たりの容積で０．０１〜０．２ｍ3 、重量では０．５〜１００ｋｇであり、この範囲よりも小さいと、吸音効果や排水樋としての止水ゴム膜５に対する支持効果が小さくなるので好ましくなく、また、該範囲よりも大きくなると、製造することが難しくなる一方で得られる効果が比例して大きくなるわけではないので、好ましくない。
【図面の簡単な説明】
【００２６】
【図１】図１は、本発明の道路橋梁伸縮装置の一実施態様例を示した概略断面モデル図である。
【符号の説明】
【００２７】
１：道路橋梁桁
２：桁遊間
３：伸縮ゴム部
４：橋台
５：止水ゴム膜
６：吸音材
７：排水樋
８：堰
９：伸縮装置最外側ビーム（側板）
【図１】
2006193943.tif 000003